(57)【要約】  本発明は、生物学的および／または化学的物質のサンプルを収集、移送および保存するための装置（１）に関する。装置は、互いに反対側にある第１の端部（２ａ）と第２の端部（２ｂ）との間で主長手方向に沿って延びる支持体（２）と、支持体の上記端部のうちの１つと係合され、生物学的物質および／または化学的物質の一定量のサンプルを収集するのに適している収集部（４）とを備える。支持体は、長手方向に延び、互いに選択的に係合して分離するように構成された少なくとも第１の支持体部品（７）と第２の支持体部品（８）とによって形成される。支持体は、第１の支持体部品および第２の支持体部品が互いに係合している組み立て状態と、第１の支持体部品および第２の支持体部品が分離され、それぞれ、収集部の第１の収集部部品および第２の収集部部品（４ａ、４ｂ）を支持する分離状態との間で動作するように構成されている。【選択図】  図３
2018529093.tif 000002
【特許請求の範囲】
【請求項１】
生物学的および／または化学的物質のサンプルを収集、移送および保存するための装置（１）であって、互いに反対側にあり中間部分（２ｃ）によって接続される第１の端部（２ａ）と第２の端部（２ｂ）との間で主長手方向に沿って延びた支持体（２）と、前記支持体（２）の少なくとも前記第１の端部（２ａ）に係合し、一定量の生物学的および／または化学的物質のサンプルを収集するように構成された収集部（４）とを備え、前記支持体（２）が、少なくとも第１の支持体部品（７）および第２の支持体部品（８）によって形成されており、前記第１の支持体部品（７）および前記第２の支持体部品（８）が、互いに別個のものであり、前記支持体（２）の組み立てられた状態に規定するように選択的に結合することができ、前記支持体（２）の分解された状態に規定するように選択的に互いに分離することができ、前記収集部（４）が、前記第１の支持体部品（７）の第１の端部および前記第２の支持体部品（８）の第１の端部の両方に作られ係合されており、前記第１の支持体部品（７）を前記第２の支持体部品（８）から分離する結果として、それぞれ前記第１の支持体部品（７）および前記第２の支持体部品（８）に作られた２つの収集部部品（４ａ、４ｂ）を形成するように、前記収集部（４）が選択的に分離可能である、生物学的および／または化学的物質のサンプルを収集、移送および保存するための装置（１）。
【請求項２】
前記支持体部品（７，８）が支持体半体（７，８）であり、前記収集部部品（４ａ、４ｂ）が収集部半体（４ａ、４ｂ）である、請求項１に記載の装置（１）。
【請求項３】
前記組み立てられた状態において、前記２つの支持体部品が相互に結合されており、前記収集部（４）を形成するように前記２つの収集部部品（４ａ、４ｂ）が相互に接合されている、請求項１または２に記載の装置。
【請求項４】
前記収集部（４）および前記２つの収集部部品（４ａ、４ｂ）の両方が、前記支持体（２）の前記第１の端部（２ａ）に作られ、前記第１の端部（２ａ）と係合している、請求項１〜３のいずれか一項に記載の装置。
【請求項５】
前記２つの収集部部品（４ａ、４ｂ）によって形成される前記収集部（４）が、前記組み立てられた状態において単一部品を成している、請求項１〜４のいずれか一項に記載の装置。
【請求項６】
前記２つの収集部部品（４ａ、４ｂ）が、前記組み立てられた状態において、前記収集部（４）を形成するように互いに隣接して連続している、請求項１〜５のいずれか一項に記載の装置。
【請求項７】
前記第１の支持体部品および前記第２の支持体部品の両方が、少なくとも前記支持体の前記第１の端部に沿って、かつ／または、少なくとも前記支持体の前記第１の端部から前記支持体の前記中間部分まで、かつ／または、少なくとも前記支持体の前記第１の端部から前記支持体の前記第２の端部まで延びている、請求項１〜６のいずれか一項に記載の装置。
【請求項８】
前記第１の支持体部品（７）および前記第２の支持体部品（８）の両方が、前記収集部（４）の少なくとも一部に、または前記収集部（４）の長手方向の範囲全体に、前記主長手方向に沿って長手方向に延びている、請求項１〜７のいずれか一項に記載の装置（１）。
【請求項９】
前記２つの収集部部品（４ａ、４ｂ）が、実質的に同じ量の吸収材料を含み、かつ／または、前記収集部（４）の２つの実質的に同一のおよび／または鏡像を成す半体を形成している、請求項１〜８のいずれか一項に記載の装置（１）。
【請求項１０】
前記支持体（２）が、前記主長手方向に従って延びた長手方向延長の中心軸線（１２）を有し、前記第１の支持体部品（７）および前記第２の支持体部品（８）が、選択的に分離可能であり、前記長手方向延長の中心軸線（１２）を含むそれぞれの接触面、または前記長手方向延長の中心軸線（１２）を含むそれぞれの平坦な接触面で結合するように構成されている、請求項１〜９のいずれか一項に記載の装置（１）。
【請求項１１】
前記第１の支持体部品（７）と前記第２の支持体部品（８）とが、前記主長手方向に垂直な組み立て方向に従って選択的に結合され、分離可能である、請求項１〜１０のいずれか一項に記載の装置（１）。
【請求項１２】
前記収集部（４）が吸収材料を含み、かつ／または、前記収集部（４）が毛細管現象によって前記生物学的および／または化学的サンプルを吸収するように構成されている、請求項１〜１１のいずれか一項に記載の装置（１）。
【請求項１３】
前記収集部（４）が、前記第１の端部（２ａ）に繊維フロック加工プロセスによって作られたフロック繊維の層を含む、請求項１〜１２のいずれか一項に記載の装置（１）。
【請求項１４】
前記第１の支持体部品（７）および前記第２の支持体部品（８）は、選択的な係合および係合解除を可能にすることができる取り外し可能な結合手段を有する、請求項１〜１３のいずれか一項に記載の装置（１）。
【請求項１５】
前記第１の支持体部品（７）および第２の支持体部品（８）が、前記支持体（２）の前記組み立てられた状態で前記第１の支持体部品（７）と前記第２の支持体部品（８）との間の係合を確実にするように構成されたそれぞれの係合要素（１０）を有し、かつ／または、前記係合要素（１０）が、前記第１の支持体部品（７）および前記第２の支持体部品（８）の少なくとも１つの領域、もしくは、前記第１の支持体部品（７）および前記第２の支持体部品（８）の少なくとも２つの別個の部分に配置されており、または、前記係合要素（１０）が、前記第１の支持体部品（７）および前記第２の支持体部品（８）の３つの別個の部分に配置されており、かつ／または、前記係合要素（１０）が、少なくとも前記中間部分（２ｃ）および／もしくは少なくとも前記第１の端部（２ａ）および／もしくは前記第２の端部（２ｂ）および／もしくは少なくとも前記収集部（４）の近くに配置されている、請求項１〜１４のいずれか一項に記載の装置（１）。
【請求項１６】
前記第１の支持体部品（７）および第２の支持体部品（８）の両方が、前記支持体（２）の長さと同様の長さまたは実質的に等しい長さにわたって延びており、または、前記第１の支持体部品（７）が、前記支持体（２）の全長よりも短い長さ、もしくは前記収集部（４）と等しい長さを有し、前記第２の支持体部品が、前記支持体（２）の全長に等しい長さを有し、または、前記第１の支持体部品（７）が、前記収集部（４）よりも短い長さを有し、前記支持体（２）の前記第１の端部の末端部を備え、前記第２の支持体部品（８）が、前記支持体（２）の全長よりも短く、前記支持体（２）の長さの残りの部分に相当する長さを有し、それによって、前記第１の支持体部品および前記第２の支持体部品の長さの合計が、前記支持体（２）の全長を定める、請求項１〜１５のいずれか一項に記載の装置（１）。
【請求項１７】
前記第１の支持体部品（７）および第２の支持体部品（８）が、射出成形によって別個の要素として別々に作られたものであり、かつ／または、前記取り外し可能な結合手段または前記係合要素は、前記支持体部品（８）自体が作られる間に射出成形によって前記第１の支持体部品（７）および／または前記第２の支持体部品（７，８）に一体成形されたものである、請求項１〜１６のいずれか一項に記載の装置（１）。
【請求項１８】
法医学目的でおよび／または犯罪現場から、または環境サンプリング用に生物学的または化学的物質を収集するための、または、ヒトまたは動物の体および／もしくはヒトまたは動物の開口部からサンプルを収集するための、特に、口腔、咽頭、鼻腔、眼、尿道、膣、肛門、直腸、または皮膚からサンプルを収集するための、請求項１〜１７のいずれか一項に記載の装置（１）の使用。
【請求項１９】
生物学的物質および／または化学的物質のサンプルを収集、移送および保存するための装置（１）を製造するためのプロセスであって、
前記装置の支持体（２）の第１の支持体部品（７）を作るステップと、
前記第１の支持体部品（７）とは別個の、前記装置の前記支持体（２）の第２の支持体部品（８）を作るステップと、
組み立てられた状態の支持体（２）を得るように、前記第１の支持体部品（７）を前記第２の支持体部品（８）に係合させるステップと、
互いに接合されてそれぞれ前記第１の支持体部品（７）および前記第２の支持体部品（８）に関連付けられる２つの収集部部品（４ａ、４ｂ）を含む収集部（４）を、前記支持体（２）の第１の端部（２ａ）に作るステップと
を少なくとも含む、プロセス。
【請求項２０】
請求項１〜１７のいずれか一項に記載の装置（１）を用いて生物学的および化学的物質のサンプルを収集、移送および保存するための方法であって、
少なくとも一定量の前記サンプルを前記収集部（４）で収集するように、または収集するときのために、前記装置（１）の前記第１の収集部部品（４ａ）および前記第２の収集部部品（４ｂ）を生物学的および／または化学的サンプルと接触して配置し、それによって、前記装置（１）の前記収集部（４）の前記第１の収集部部品（４ａ）で前記生物学的サンプルの第１の部分量を収集し、前記第２の収集部部品（４ｂ）で前記生物学的サンプルの少なくとも第２の部分量を収集するステップと、
前記支持体（２）の前記第１の支持体部品（７）から前記支持体（２）の前記第２の支持体部品（８）を分離し、したがって、前記第２の部分量の生物学的サンプルを含む前記第２の収集部部品（４ｂ）を、前記第１の部分量の生物学的サンプルを含む少なくとも前記第１の収集部部品（４ａ）から分離するステップと
を少なくとも含む、方法。
【発明の詳細な説明】
【技術分野】
【０００１】
本発明は、生物学的および化学的物質のサンプルを収集、移送および保存するための装置に関する。本発明はさらに、上記装置を製造するためのプロセス、装置の使用、ならびに、上記装置を使用することによって生物学的および／または化学的物質のサンプルを収集、移送および保存するための方法に関する。装置は、好ましくはスワブの形態である。本発明は、例えば、人体から直接収集される生物学的物質の収集、移送および保存、または様々な性質の環境サンプリングに使用することができる。本発明は、例えば犯罪現場から回収された生物学的および／または化学的物質のサンプルの正確な保存および完全なトレーサビリティを保証することが必要な法医学分野において特に適用され、特に、最初の一連の分析によって収集され、既に分析された同じサンプルがまた、サンプル自体が収集された長期間後でさえ（数年後でさえ）利用できるようになることを保証するために、根本的に重要なものである。これは、例えば、司法機関が後の時点において、より早い時点に実施された分析から得られた結果を検証および照合するためにさらなる分析を行うよう命じる場合に必要となる。
【背景技術】
【０００２】
例えば、後に分析または臨床検査室試験に供される有機物または生物学的物質のような被検物質を収集および移送するために種々のタイプの装置を使用することは、従来技術において知られている。例えば、ある量の綿繊維を一端に巻き付けた柄からなるスワブが知られており、綿繊維は、収集されるサンプルをその中に吸収するのに適した収集部を形成する。このような装置は、サンプルを収集部内に保持し、分析目的のために限定された割合のサンプルのみを放出する傾向がある。収集されるサンプルを吸収することができるスポンジ材料またはポリマー材料のような、吸収材料から作られている収集部を備えたスワブも知られている。また、細長い支持体と、分析物または生物学的物質のためのフロック状繊維収集部を形成する、支持体の一端にある複数の植毛繊維とを含むフロックスワブは本出願人が所有する欧州特許出願公開第１６０８２６８号明細書から知られている。上記フロックスワブは、非常に高い割合の吸収されている生物学的または化学的物質の放出を可能にする。上記のスワブは、特定の用途に応じて多かれ少なかれ可撓性である、一般にプラスチック材料、例えばポリスチレンから作られている細長い柄を有する。既知のスワブは、特に、例えば、収集部が縮小されたサイズの試験管または輸送もしくは分析のための他の容器内に挿入されることを可能にするために、残ったグリップ部分を伴わずに収集部のみを保存または移送することを可能にするために、柄を正確な所望の点で破断できるようにするために、細長い柄の中間部分に位置する所定の破断点を有することがある。他の場合には、適切な時点における制御された破断を容易にするために、柄が手動または自動で切断される。上述の既知のスワブには、例えば、必要に応じて、同じサンプルについて、後の時点において、たとえ長期間の後であっても、サンプルの完全なトレーサビリティおよび検証の実施を可能にするために、同じ収集された試料の別の部分を保持しながら、第１の時点において収集された生物学的および／または化学的サンプルの一部を分析することが可能であることが必要である、犯罪現場からサンプルを収集するためのその使用など、特定の用途の場合にいくつかの制限がある。本質的には、これは、司法および法医学の分野で重大かつ頻繁に発生する問題である、試験再現性の必要性に応答する問題である。可能な限り多くの生物学的および／または化学的サンプルを装置から抽出し、サンプルに対して必要な分析を行うことを可能にするために、例えば液体または他の物質を用いて装置の収集部を処理することができることが知られているが、サンプルが収集部から抽出されると、もはやサンプル自体が無傷のままであり、元々収集されたものと一致するかまたは実質的に同等であるという保証はもはやないため、このプロセスは、将来の使用のために同じサンプルの一部を保存することを妨げる。このような制限を克服する試みとして、例えば、装置の残りの部分および収集部を将来の使用のために保存しながら、収集部からこすり落とされ、柄から分離された繊維またはスポンジ部分のみが抽出プロセスを受けるように、装置のフロック部分の繊維の一部をこすり落とす（または同様の方法で、収集部を形成する、包囲している綿繊維またはスポンジの一部分を除去する）ことに存する手作業のプロセスが知られている。しかしながら、この解決法にはいくつかの制限がある。例えば、サンプルの汚染の危険性、プロセスが行われる環境の汚染の危険性、人為的ミスの可能性、手作業で取り除いた繊維部分に十分な量の生物学的および／または化学的サンプルが含まれていない場合は、手順を２回以上繰り返す必要があるというリスク、操作に関わる要員側に相当の手作業技能および経験が必要であること、ならびに、手作業に関連する労力および費用、ならびに、関連する材料（一回使用）が必要であること、などである。さらに、これは非効率かつ費用が掛かるプロセスであり、また過剰量のサンプルが除去され、将来の使用のために十分な量が保持されないという反対の危険性をもたらす。さらに、このプロセスは、刑事訴訟において必要とされるような十分に高いレベルの資料トレーサビリティを保証するものではなく、この文脈においては、法医学目的のサンプルが通常収集される。
【０００３】
さらなる解決策は、本出願人が所有する国際公開第２０１４／２０７５９８号パンフレットからも知られている。この解決策は、フロック状装置の柄上に、フロック部分において柄を選択的に破断すること、および、同じフロック部分を２つの部分に分離することを促進することを目的として、装置のフロック状収集部に位置する脆弱化領域を設けることを想定する。しかしながら、この解決策は、他の目的のために使用するのには満足なものであることは別として、上記で特定されたすべての制限を克服することを可能にするものではない。本発明の主要な目的は、従来技術に見られる１つまたは複数の問題を解決することである。本発明の他の目的は、生物学的物質および化学物質のサンプルを収集、移送および保存するための装置、その製造プロセス、ならびに、生物学的および化学的物質のサンプルを収集、移送しおよび保存するための方法である。これは、
一方の分析と他方の分析との間の非常に長い時間間隔をも含む、種々の時点における分析の実行のための適切な量の生物学的および／または化学的サンプルの保存を可能にして単純化し、かつ／または、
長期間でも生物学的および／または化学的物質の高度なトレーサビリティおよび正しい保存を保証し、かつ／または、
取扱いの必要性を減らし、収集されるサンプルおよびサンプルの処理に携わる人員の作業環境の汚染のリスクを低減し、および／または、
収集される生物学的および／もしくは化学的サンプルの処理の効率、安全性および信頼性を高め、かつ／または、
柔軟性が高く、使い勝手が良く、かつ／または、
実装するのが簡単で経済的である。
【発明の概要】
【０００４】
以下の説明からより明らかになるこれらの目的および他の目的は、装置、装置を製造するためのプロセス、および上記装置によって生物学的および化学的物質のサンプルを収集、移送および保存する方法によって実質的に達成される。これは、単独で、または互いに組み合わせて、かつ／または以下に記載する態様のいずれかと組み合わせて取り上げられる、添付の請求項の１つまたは複数において表現されている。
【０００５】
一態様において、生物学的および／または化学的物質のサンプルを収集、移送および保存するための装置は、スワブの形態である。
【０００６】
さらなる態様において、装置の支持体は柄の形態である。
【０００７】
さらなる態様では、生物学的物質および／または化学的物質のサンプルを収集、移送および保存するための装置は、第１の支持体部品および第２の支持体部品を有し、これらは、第１の支持体部品を第２の支持体部品に対して回転ピンを中心として回転させることによって分離可能であるように構成されている。
【０００８】
さらなる態様では、てこの作用に起因して、この回転により、第２の支持体部品に対する第１の支持体部品の分離および／または２つの収集部部品の漸進的な分離が生じる。
【０００９】
さらなる態様では、装置は、第１の支持体部品および第２の支持体部品を有し、これらは、第１の支持体部品または第２の支持体部品のある領域から開始してサンプルの収集部とは反対に、第１の支持体部品を第２の支持体部品に対して漸進的に離隔することによって分離可能であるように構成されている。
【００１０】
さらなる態様では、支持体の主長手方向は、支持体の長手方向延長の中心軸線または対称軸線と一致する。
【００１１】
さらなる態様では、屈曲により、第２の支持体部品に対する第１の支持体部品の分離および／または２つの収集部部品の漸進的な分離が生じる。
【００１２】
さらなる態様において、第１の支持体部品および第２の支持体部品は、第１の支持体部品または第２の支持体部品の少なくとも一部を屈曲させることによって少なくとも部分的に分離可能であるように構成される。
【００１３】
さらなる態様では、屈曲により、第２の支持体部品に対する第１の支持体部品の分離および／または２つの収集部部品の漸進的な分離が生じる。
【００１４】
さらなる態様では、第１の支持体部品および第２の支持体部品は、選択的に分離可能であり、主長手方向に垂直なそれぞれの接触面またはそれぞれの平坦な接触面上で結合されるように構成される。
【００１５】
さらなる態様では、第１の支持体部品および第２の支持体部品は、上記主長手方向と平行またはこれと一致する組み立て方向に従って、選択的に結合および分離することができる。
【００１６】
さらなる態様では、第１の支持体部品は、支持体の第１の端部の一部および／または収集部の一部においてのみ、主長手方向に沿って長手方向に延び、支持体の残りの部分は、第２の支持体部品のみによって形成され、またはその逆になる。
【００１７】
さらなる態様では、第１の支持体部品は、支持体の第１の端部および／または収集部においてのみ、主長手方向に沿って長手方向に延び、支持体の残りの部分は、第２の支持体部品のみによって形成され、またはその逆になる。
【００１８】
さらなる態様では、支持体の長手方向部分は第２の支持体部品のみからなる。
【００１９】
さらなる態様では、支持体の別の長手方向部分は第２の支持体部品のみからなる。
【００２０】
さらなる態様では、支持体の長さは、第１の支持体部品および第２の支持体部品の長さの合計に対応する。
【００２１】
さらなる態様では、第１の支持体部品および第２の支持体部品の両方が、少なくとも支持体の少なくとも第１の端部に沿って、または少なくとも収集部に沿って延びる。
【００２２】
さらなる態様では、第１の支持体部品および第２の支持体部品の両方が、少なくとも支持体の第１の端部から、支持体の中間部に延びる。
【００２３】
さらなる態様では、第１の支持体部品および第２の支持体部品の両方が、少なくとも支持体の第１の端部から、支持体の第２の端部に延びる。
【００２４】
さらなる態様において、収集部は、吸収性スポンジ材料を含む。
【００２５】
さらなる態様において、収集部は、吸収性ポリマー材料を含む。
【００２６】
さらなる態様において、吸収材料は、接着剤によって支持体の第１の端部に固定される。
【００２７】
さらなる態様では、吸収材料は、接着剤を使用することなく、支持体の少なくとも第１の端部および／または吸収材料を一時的に加熱することによって支持体の第１の端部に固定される。
【００２８】
さらなる態様では、第１の支持体部品および第２の支持体部品は、圧入またはスナップ嵌めまたは締まり嵌めタイプのそれぞれの係合要素を有する。
【００２９】
さらなる態様では、係合要素は、少なくとも第１の支持体部品上または第２の支持体部品に形成された１つまたは複数の収容座部と、少なくとも第２の支持体部品または第１の支持体部品上に形成された１つまたは複数の突起とを含み、各突起は、支持体の組み立てられた状態において、それぞれの収容座部内に係合されるのに適している。
【００３０】
さらなる態様において、第１の支持体部品および第２の支持体部品は、細長い立体構造を有する。
【００３１】
さらなる態様では、第１の支持体部品および／または第２の支持体部品は、装置の支持体の中間部分から、収集部のそれぞれの部品を支持する第１の支持体部品および／または第２の支持体部品の端部を分離することを可能にする脆弱化部分を有する。
【００３２】
さらなる態様では、装置は、支持体の第２の端部において支持体に係合された把持部を備え、把持部は、支持体の分離状態において、支持体の第１の支持体部品および／または第２の支持体部品に堅固に接合される。
【００３３】
さらなる態様では、第１の支持体部品および第２の支持体部品は、第１の支持体部品および第２の支持体部品上に形成された分離面に沿って分離され、支持体の長さの少なくとも半分または少なくとも３／４にわたって長手方向に延びるように構成される。
【００３４】
さらなる態様において、分離面は、支持体の全長にわたって長手方向に延びる。
【００３５】
さらなる態様では、分離面は、支持体の長さの一部のみにわたって、第１の支持体部品または第２の支持体部品の内のり長さに沿って長手方向に延びる。
【００３６】
さらなる態様では、分離面は、支持体の第１の端部と第２の端部との間で継ぎ目なく延びている。
【００３７】
さらなる態様において、第１の支持体部品および第２の支持体部品は、プラスチック材料から作られる。
【００３８】
さらなる態様において、支持体全体が、プラスチック材料から作られる。
【００３９】
さらなる態様において、生物学的サンプルの部分量は、生物学的サンプルの半量である。
【００４０】
さらなる態様において、生物学的物質および／または化学的物質のサンプルを収集、移送および保存するための装置の使用は、少なくとも収集部の先端においてサンプルを収集するステップを含む。
【００４１】
さらなる態様では、装置の使用は、第１および第２の収集部部品の両方が、サンプルの分析を行うのに十分な量の収集されたサンプルを与えられ、かつ／または、互いに類似するか、もしくは実質的に同様であるように、少なくとも収集部の先端においてサンプルを実質的に均一に収集するステップを含む。
【００４２】
さらなる態様において、装置の使用は、収集部上に収集されたサンプルを脱水するステップをさらに含む。
【００４３】
さらなる態様では、装置の使用は、支持体の第２の支持体部品を支持体の第１の支持体部品から分離するステップをさらに含み、この分離はさらに、第２の収集部部品の、第１の収集部部品からの分離を引き起こす。
【００４４】
さらなる態様では、装置の使用は、第１の収集部部品に存在するサンプルを分析プロセスに供するステップと、サンプルのトレーサビリティおよび場合によってはその後の分析的使用のために、第２の収集部部品を保存するステップをさらに含み、または、第１の収集部部品と第２の収集部部品とが逆にされる。
【００４５】
さらなる態様では、添付の装置クレームまたは上記の態様のいずれか１つによる装置を備え、少なくとも第１の収集部部品および／または第２の収集部部品を収容、移送および／または保存するための１つまたは複数の容器または試験管をさらに備える、生物学的または化学的物質のサンプルを収集、移送および保存するためのキットが提供される。
【００４６】
さらなる態様では、キットは、装置の収集部上に存在するサンプルを脱水するために、少なくとも所定の期間にわたって、装置と関連し得る脱水要素をさらに備える。
【００４７】
さらなる態様では、添付の装置クレームまたは上記の態様のいずれか１つによる、生物学的および／または化学的物質のサンプルを収集、移送および保存するための装置を製造するためのプロセスは少なくとも、第１の支持体部品および第２の支持体部品を成形によって作るステップを含む。
【００４８】
さらなる態様では、製造プロセスは、射出成形によって第１の支持体部品および第２の支持体部品を作るステップを含む。
【００４９】
さらなる態様では、製造プロセスは、第１の支持体部品および第２の支持体部品を、両方とも装置の支持体の主長手方向に沿って長手方向に延びる別個の要素として作るステップを含む。
【００５０】
さらなる態様では、製造プロセスは、支持体の第１の端部にある量の接着材料を施与するステップと、収集部を形成するために支持体の第１の端部に吸収材料を施与するステップとをさらに含む。
【００５１】
さらなる態様では、製造プロセスは、少なくとも支持体の第１の端部および／または吸収材料を加熱するステップと、吸収材料を支持体の第１の端部に安定に結合させ、収集部を形成するように、支持体の第１の端部に吸収材料を施与するステップとをさらに含む。
【００５２】
さらなる態様では、製造プロセスは、支持体の第１の端部にある量の接着材料を施与するステップと、収集部を形成するように支持体の第１の端部上にフロック繊維の層を作るステップとをさらに含む。
【００５３】
製造プロセスのさらなる態様において、収集部を作るプロセスは、フロック加工によって実施される。
【００５４】
製造プロセスのさらなる態様では、収集部を作るステップは、静電場中でフロック加工することによって実行され、それにより、繊維は、支持体の第１の端部の表面上に規則正しく配置され、かつ／または、付着プロセスの間、表面自体に対して実質的に垂直に配置される。
【００５５】
さらなる態様では、添付の装置クレームまたは上記の態様のいずれか１つによる装置によって生物学的および化学的物質のサンプルを収集、移送および保存する方法は、第１の時点において生物学的サンプルに対して分析操作が実行されることを可能にするために、第１の収集部部品からサンプルの第１の部分量を抽出するステップと、第１の時点の後の第２の時点において使用するために、収集部の第２の収集部部品にサンプルの第２の部分量を保存するステップとをさらに含む。
【００５６】
さらなる態様では、生物学的および化学的物質のサンプルを収集、移送および保存する方法は、支持体の長手方向分離面に沿って行われる、第１の支持体部品と第２の支持体部品との間の分離を含む。
【００５７】
さらなる態様において、生物学的および化学的物質のサンプルを収集、移送および保存するための方法は、一定期間にわたって、生物学的サンプルの第１の部分量および／または生物学的サンプルの第２の部分量を、実質的に乾燥したかつ／または滅菌された環境または容器内に保存するステップを含む。
【００５８】
非限定的な例として、本発明の１つまたは複数の好ましい実施形態の詳細な説明が以下に示される。
【図面の簡単な説明】
【００５９】
【図１】装置および容器または試験管を備える、生物学的または化学的物質のサンプルを収集、移送および保存するためのキットを示す図である。
【図２】生物学的および／または化学的物質のサンプルを収集、移送および保存するための装置を示す図である。
【図３】第１の支持体部品と第２の支持体部品とが部分的に分離されている図２の装置を示す図である。
【図４】第１の支持体部品と第２の支持体部品とが完全に分離されている図３の装置を示す図である。
【図５】エッペンドルフ型試験管に挿入された収集部部品が設けられた第１の端部を有し、脆弱化部分における制御された破断を可能にするために部分的に屈曲されている、図３の装置の第２の支持体部品を示す図である。
【図６】図２の装置の長手方向断面図である。
【図７】装置の支持体全体が、部分的に分離された状態にある２つの支持体部品に長手方向に分割されている、図２の装置の変形形態を示す図である。
【図８】２つの支持体部品が相互に結合されている、組み立てられた状態の図７の装置の長手方向断面図である。
【図９】第２の支持体部品が、収集部においてのみ長手方向に延び、一方、支持体の残りの長さは、収集部の一部をも形成する第１の支持体部品によって形成されている、装置の第３の変形形態の長手方向断面図である。
【図１０】第２の支持体部品が、収集部および支持体の第１の端部の一部のみにわたって延び、第１の端部の末端部分を形成しており、一方、支持体の残りの長さは、第１の支持体部品によって形成されている装置の第４の変形形態の長手方向断面図である。
【発明を実施するための形態】
【００６０】
図面を参照すると、１は、生物学的および／または化学的物質のサンプルを収集、移送および保存するための装置の全体を示している。本明細書において、「生物学的物質」という語は、微生物学的物質も含むものとして理解される。さらに、用語「生物学的または化学的物質」は、実際には、例えば、これだけではないが、微生物、抗体／抗原、抗菌作用を有する物質、ヌクレオチド、抗生物質、ホルモン、ＤＮＡ配列、酵素、有機物、生物学的物質または生物学的起源の物質、培養培地の増菌剤または選択剤など、および任意の種類の化学物質のような任意の種類の被検物質を含むものとして理解される。したがって、臨床、化学、生物学、微生物学、環境、遺伝学、法医学または他の分野におけるその後の分析を意図した様々な性質のサンプルが、この定義に含まれる。
【００６１】
装置１は、主長手方向１２に沿って延び、上記主長手方向１２に沿って実質的に柄状および／または細長い立体構造を有する支持体２を備える。支持体２は、添付図面に示されているように、柄の形態であってもよく、また、その長手方向に沿って同じく可変である、任意の断面サイズを有することができる。支持体２は、互いに反対側にある第１の端部２ａおよび第２の端部２ｂを有する。支持体２はさらに、端部２ａ、２ｂの間に位置する中間部分２ｃに形成された複数の補強リブ３を有することができる。
【００６２】
支持体は、その目的に適した任意の材料から作ることができる。支持体は、好ましくはプラスチック材料、特に、例えばコポリエステル、ポリスチレン、ポリアミド／ナイロンなどのプラスチックポリマーから作られる。
【００６３】
装置１は、一定量の生物学的および／または化学的物質のサンプルを収集するように、例えば、摩擦または別のタイプの機械的作用によって吸収または収集するように構成された収集部４をさらに備える。収集部４は、支持体２の第１の端部２ａに形成されている。収集部４は、既知の種類のものを用いることができる。好ましくは、収集部４は、フロックタイプのものであり、したがって、例えば適切な接着剤によって、または支持体のプラスチック材料を一時的に加熱することによって、第１の端部２ａに付着されている複数のフロック繊維を含む。フロック繊維の層は、例えば、静電場内でフロック加工することによって作ることができ、その結果、繊維は、第１の端部の表面上に規則正しく配列される。フロック部分は、例えば、先に引用した欧州特許出願公開第１６０８２６８号明細書または国際公開第２０１４／０４９４６０号パンフレットおよび国際公開第２０１４／２０７５９８号パンフレットの教示に従って製造することができ、これらはすべて本出願人の名義であり、使用される繊維の種類ならびにフロック繊維の層の立体構造および特性に関連するこれらの内容は、参照により本明細書に組み込まれる。代替的に、収集部４は、吸収材料から作られる要素を含むことができる。例えば、収集部４は、スポンジ材料、ポリマー材料、または生物学的物質を収集するのに適した別の吸収材料から作ることができる。収集部は、経時的なサンプルの保存を改善し、かつ／またはその後の分析のためにサンプルを調製するのに適した物質によって前処理することができる。図に示すように、支持体２の第２の端部２ｂには、装置１自体の取扱いを簡単にするための把持部５を形成することができる。一変形形態では、把持部は中空であり、乾燥材料を含むことができる。好ましくは、収集部４および把持部５は、装置１の互いに反対側の端部に形成される。図１に示すように、把持部５は、サンプルの収集前またはサンプルを収集した後でも装置を配置または保存できる容器または試験管６のキャップとして機能するのに適し得る。
【００６４】
支持体２は、第１の支持体部品７および第２の支持体部品８をさらに備える。第１の支持体部品７および第２の支持体部品８は、細長い立体構造を有することが好ましい。第１の支持体部品７および第２の支持体部品８は、図７および図８の変形形態のように、第１の端部２ａおよび第２の端部２ｂの間で長手方向に延びることができる。代替的に、図１〜図６に示す変形形態では、第１の支持体部品７は、支持体２の全長にわたって延びることができ、一方、第２の支持体部品は、第１の端部２ａから中間部分２ｃの一部までのみに延びることができ、またはその逆であってもよい。支持体２は、支持体２の選択的破断を可能にするために、収集部４の近くに形成された脆弱化部分９をさらに含むことができる。脆弱化部分９は、支持体２の屈曲の下で、第２の支持体部品８に関して図５に示すように、少なくとも一定の曲率半径に達したときに、この選択的な破断を可能にするように構成することができる。図３、図４および図５に示すように、脆弱化部分９は、第１の支持体部品７および第２の支持体部品８の両方に形成することができる。支持体２、特に第１の支持体部品７および第２の支持体部品８は、プラスチック材料から作ることができる。好ましくは、第１の支持体部品７および第２の支持体部品８は、成形、特に射出成形によって別々に作られる。第１の支持体部品７および第２の支持体部品８は、少なくとも支持体２の長手方向部分に沿って選択的に係合され、分離されるように構成される。第１の支持体部品７と第２の支持体部品８との間の係合およびその分離は、例えば係合要素１０の形態であり得る取り外し可能な結合手段によって可能である。特に、係合要素１０は、組み立てられた状態と分離された状態との間で支持体２が機能することを可能にする。例えば図２、図６および図８に示す組み立て状態では、第１の支持体部品７および第２の支持体部品８は互いに係合している。対照的に、図４に示す分離状態では、第１の支持体部品７および第２の支持体部品８は分離している。図３および図７は、第１の支持体部品７および第２の支持体部品８の部分分離の状態を示しており、第１の収集部部品４ａおよび第２の収集部部品４ｂにおける収集部４の分離が行われている。
【００６５】
係合要素１０は、好ましくは、第１の支持体部品７および第２の支持体部品８上に形成され、例えば、圧入またはスナップ嵌めまたは締まり嵌めタイプとすることができる。添付の図に示される実施形態によれば、係合要素１０は、突起１０ａおよび突起１０ａのための収容座部１０ｂを含む。好ましくは、収容座部１０ｂは、突起１０ａの形状に噛み合う形状である。添付の図に示すように、収容座部１０ｂは第１の支持体部品７上に形成することができ、突起１０ａは第２の支持体部品８上に形成することができ、その逆も可能である。代替的に、第１の支持体部品７が、１つまたは複数の収容座部１０ｂおよび１つまたは複数の突起１０ａを備えてもよく、第２の支持体部品８が、第１の支持体部品７の収容座部１０ｂおよび突起１０ａとそれぞれ協働するのに適した、１つまたは複数の突起１０ａおよび１つまたは複数の収容座部１０ｂを備えてもよい。突起１０ａおよび収容座部１０ｂはまた、２つの支持体部品７，８の各々が突起１０ａおよび収容座部１０ｂの両方を有するように、然るべき支持体部品７，８上で交互に配置されてもよい。好ましくは、係合要素１０は、突起−収容座部対からなる。言い換えれば、各突起１０ａに対応して、それぞれの収容座部１０ｂがある。例えば、添付の図は、３つの突起−収容座部対が付与された支持体２を示す。係合要素１０（特に突起−収容座部対）は、第１の部品７および第２の部品８の複数の部分に形成することができる。例えば、図７に示すように、係合要素１０は、第１の部品７および／または第２の部品８の互いに反対側にある端部近く（すなわち、支持体２の端部２ａ、２ｂの近く）で、第１の部品７および第２の部品８の中間部分内に形成することができる。
【００６６】
支持体２は、組み立てられた状態から作業員の手作業により分離された状態に移行するように構成されている。すなわち、支持体２に手で作用を及ぼすことにより、第１の支持体部品７を第２の支持体部品８から分離させる、またはその逆を行うのは作業員である。
【００６７】
組み立てられた状態から分離された状態に移行するとき、支持体２の第１の支持体部品７と第２の支持体部品８との間の分離、および第１の収集部部品４ａと第２の収集部部品４ｂとの間の分離の両方が生じる。特に、収集部４の分離は、収集部４が第１の支持体部品７と第２の支持体部品８の両方において支持体２と係合するときに行われ、その結果、部品７，８が分離すると、図３および図７に示すように、第１の収集部部品４ａは第１の支持体部品７に堅固に接合され、したがって、第２の支持体部品８に堅固に接合された第２の収集部部品４ｂから分離する。例えば、収集部４がフロック加工されている好ましい実施形態では、繊維の分散が最小限に抑えられているかまたはまったくない状態で、複数の繊維（第１の収集部部品４ａを形成する）が第１の支持体部品７に付着したままであり、それぞれの複数の繊維（第２の収集部部品４ｂを形成する）は、第２の支持体部品８に付着したままであり、これは、製造段階の間に接着剤が施与されているか、または、製造段階の間にあらかじめ加熱されている、支持体２の材料に堅固に接続されているために、繊維のすべてが第１の収集部部品４ａおよび第２の収集部部品４ｂに実質的に付着したままであるためである。
【００６８】
図３および図７に示すように、第１の支持体部品７および第２の支持体部品８は、好ましくは平坦な接触面１１からなるそれぞれの接触面１１に沿って結合および分離されるように構成されている。接触面１１は、支持体２の第１の部品７および第２の部品８において主長手方向に沿って長手方向に延びている。図３および図６〜図８に示すように、第１の部品７および第２の部品８の接触面は、支持体２の組み立てられた状態において互いに対向して接触する平坦な表面からなることができる。接触面１１は、図１〜図６の変形形態のように、支持体２の長さの半分に少なくとも等しい長さにわたって延びることができる。接触面１１は、図７および図８の変形形態のように、支持体２の全長に少なくとも等しい長さにわたって延びることができる。接触面１１は、図９の変形形態のように、収集部の長さの半分に少なくとも等しい長さにわたって延びることができる。接触面１１は、主長手方向に対して垂直に延び、図１０の変形形態のように、支持体の、中心軸線１２に垂直な部分と一致することができる。図９および図１０の変形形態では、第１の支持体部品７および／または第２の支持体部品８には、第２の支持体部品８からの第１の支持体部品７の取り外しを容易にするための突出する把持要素が設けられてもよい。
【００６９】
図９および図１０の変形形態では、適切な時点における取り外しを容易にし、結果として、収集部、したがって吸収材料の分離を容易にするように、２つの支持体部品７，８の間に挿入されるのに適した、例えばブレードを備えた器具を使用することが必要または好都合になり得る。
【００７０】
図１０の変形形態は、サンプルの収集が主に装置の先端で行われる法医学分野での使用にあまり適していないが、サンプルの収集が収集部全体で行われる他の分野での使用に（例えば、体腔内のサンプルの収集などにおいて）より良好に適している。
【００７１】
図示したすべての変形形態では、２つの支持体部品の分離は、手作業で行ってもよく、特定の機械によって自動化されてもよい。
【００７２】
図１〜図６の変形形態では、第１の支持体部品７が支持体２の全長にわたって延びており、第２の支持体部品８が中間部分２ｃの一部までしか延びていないため、第１の支持体部品７と第２の支持体部品８とは、異なる長手方向延長を有する。したがって、支持体２の第２の端部２ｂは、全体が第１の支持体部品７からなる。この変形形態は、単純に第１の支持体部品７を部分的に屈曲させることによって、２つの支持体部品７，８が容易に分離することを可能にし、これによって、支持体の第１の端部に対向する突起１０ａを、対応する収容座部１０ｂから出すことができる。図７および図８に示す実施形態では、第１の支持体部品７および第２の支持体部品８は、実質的に同様の長さにわたって延び、接触面１１は、支持体２の全長にわたって延びている。この変形形態では、２つの支持体部品の把持および手作業による分離を容易にするために、互いに対してずれている、第１の支持体部品および第２の支持体部品から突出する適切な把持要素（図示せず）を設けることができる。支持体２の第１の支持体部品７と第２の支持体部品８との間の分離のいくつかの可能な態様を以下により詳細に説明する。第１の支持体部品７と第２の支持体部品８との間の分離は、例えば、第１の支持体部品７を第２の支持体部品８に対して、または、その逆に回転させることによって屈曲しまたは動かすことによって達成することができる。第１の支持体部品７および第２の支持体部品８を分離するために、作業員は、第２の支持体部品８の一端（好ましくは、収集部４の反対側の端部）を把持し、これを動かして、第１の支持体部品７の対応する端部から外方に屈曲させる。この運動は、上記端部の近くに規定された係合要素１０の係合を解除させ、その後、第２の支持体部品８が第１の支持体部品７から外方に移動し続けるにつれて、てこの作用により、および、単純に２つの支持体部品７、８が漸進的に分離することによって、第１の収集部部品４ａが第２の収集部部品４ｂから取り外される。支持体２の第１の支持体部品７を支持体２の第２の支持体部品８から分離するステップは、例えば図２，図３，図４および図７に例示されている。図２は、支持体２が組み立てられた状態にある装置１を示す。一方、図３は、支持体２の第１の支持体部品７から第２の支持体部品８を分離する動きを示す。上記部品７，８を分離するために行うことができる回転運動は、図３に例示されている。図示された変形形態では、この回転運動は、支持体２の第１の端部２ａおよび収集部４を、正確にその中心または回転支点としている。図示されていない変形形態によれば、支持体２には、支持体２の中間部分に位置するピンまたは要素を設けることができ、これは第１の部品７と第２の部品８との間の上記ピンを中心とした相対回転を可能にするのに適しており、またそのように構成されている。そのような場合、支持体２の第１の部品７と第２の部品８との間の分離を達成するために、第２の支持体部品８の一端（好ましくは、収集部４に対向する第２の支持体部品８の端部）を把持し、接触面１１が存在する平面内で回転させるようにすることができる。この分離によって、２つの支持体部品の、はさみのような往復回転運動によって、第１の支持体部品７が第２の支持体部品８から、特に第１の収集部部品４ａが第２の収集部部品４ｂから漸進的に離脱する。
【００７３】
好ましい実施形態では、支持体部品７，８は支持体半体７，８であり、収集部部品４ａ、４ｂは収集部半体４ａ、４ｂである。
【００７４】
生物学的サンプルの部分量は、生物学的サンプルの半量であり得る。好ましくは、収集部部品または半体は、同じサンプル収集能力を有するように寸法決めされる。本明細書において、「部品」という用語および「半体」という用語は、そのような部品または半体を含むか、またはそれらからなる本体全体の部品または半体を意味する。
【００７５】
使用中、生物学的物質および／または化学的物質のサンプリングは、組み立てられた状態の装置１を用いて行われる。好ましくは、収集は、少なくとも収集部の先端上で少なくともサンプルを収集するように、かつ好ましくは、収集部の先端の全周にわたって十分かつ実質的に均一な量のサンプルを収集するように行われ、それによって、第１の収集部部品４ａと第２の収集部部品４ｂとの分離後、上記収集部部品は両方とも、独立した分析のために十分な量のサンプルを含み、好ましくは、同様の量の同じサンプルを含む。支持体２の第１の部品７と第２の部品８との間の分離、したがって、第１の収集部部品４ａと第２の収集部部品４ｂとの間の分離は、生物学的物質および／または化学物質のサンプルの収集後、特定の事例の要求に応じて変わる期間内で行われる。以下でより詳細に分かるように、この分離は、第２の収集部部品４ｂにより吸収される第２の量の生物学的および／または化学的サンプルとは無関係に、第１の収集部部品４ａにより吸収される第１の量の生物学的および／または科学的サンプルの処理を可能にする。例えば、第１の量の生物学的サンプルおよび／または化学的サンプルを第１の時点において使用することができ、第２の量の生物学的サンプルおよび／または化学的サンプルを、長時間後でさえある第２の時点において使用することができる。一例として、第１の量の生物学的サンプルおよび／または化学的サンプルは、その収集の直後に（例えば、試験、分析または他の実験室用途のために）使用することができ、第２の量の生物学的サンプルおよび／または科学的サンプルは、例えば、その収集後に後の時点で（数日、数ヶ月または数年後に）、検証試験および照合のため保存および使用することができる。本発明はさらに、前述のタイプの装置を用いて、生物学的物質および／または化学的物質のサンプルを収集および移送する方法に関する。この方法は、収集部４を生物学的サンプルおよび／または化学的サンプルと接触させて配置するステップを含む。このステップは、第１の収集部部品４ａおよび第２の収集部部品４ｂがそれぞれ、少なくとも第１の量の生物学的および／または化学的サンプルおよび少なくとも第２の量の生物学的および／または化学的サンプルを収集するように行われ、両方の量はその後のサンプルの分析を可能にするのに十分である。この方法は、サンプルをより良く保存することができるように、収集部に収集されたサンプルを脱水して、サンプルに損傷を与え、連続的な分析のために使用できなくする菌類およびカビの増殖を回避するステップを含むことができる。
【００７６】
したがって、この方法は、支持体２の第２の支持体部品８を支持体２の第１の支持体部品７から分離するステップを含む。このステップは、少なくとも第１の量の生物学的サンプルおよび／または化学的サンプルを含む第１の収集部部品４ａから、第２の量の生物学的および／または化学的サンプルを含む第２の収集部部品４ｂを分離させる。この時点で、第１の量の生物学的および／または化学的サンプルの少なくとも一部が、第１の時点において生物学的および／または化学的サンプルに対して分析操作が実施されることを容易にするために第１の収集部部品４ａから抽出され、第２の収集部部品４ｂ上の第２の量の生物学的サンプルおよび／または化学的サンプルが、第１の時点の後の将来の使用のために保存され、またはその逆である。生物学的物質および／または化学物質のサンプルの正確な保存を可能にするために、第１の収集部部品４ａにより吸収される第１の量の生物学的および／もしくは化学的サンプルならびに／または第２の収集部部品４ｂにより吸収される第２の量の生物学的および／化学的サンプルは、適切な容器または試験管６に保存することができ、好ましくは、例えば、把持部５に含まれる脱水要素によって脱水することができる。第１の収集部部品４ａおよび第２の収集部部品４ｂは、全体を支持体２のそれぞれの部品７，８によって保存してもよく、または、縮小したサイズの容器内に保存することを可能にするためにそれらから分離してもよい。例えば、支持体２の第１の支持体部品７は、図１に示されるような試験管６内に保存することができ、一方、第２の収集部部品４ｂは、脆弱化部分９の制御された破断によって第２の支持体部品８の中間部分から取り外し、図５に示すようにエッペンドルフ型試験管６ａに挿入して、サンプルを抽出し、その後の試験をサンプルに対して行うことができるようにすることができる。
【００７７】
本発明はさらに、前述の装置１の製造プロセスに関する。このプロセスは、支持体２の第１の支持体部品７および第２の支持体部品８を別々に作ることを想定している。それらは好ましくは成形により、さらに好ましくは射出成形によって作られる。第１の支持体部品７は、その後、例えば係合要素１０の形態の取り外し可能な結合手段によって第２の支持体部品８と係合される。この時点で、支持体２は組み立てられた状態にある。支持体２が組み立てられた後、支持体２の第１の端部２ａに一定量の接着材料（例えば接着剤）が施与される。代替的に、支持体２を形成する材料を加熱することによって、接着剤を使用せずに繊維を施与することが可能である。次に、このプロセスは、支持体２の上記端部２ａにおいて、収集部４を作り、好ましくはフロック加工することを想定する。しかし、前述したように、他のタイプの収集部４を設けることもできる。さらに、既知のタイプであり、したがって詳細には記載されていない、装置の仕上げ、処理、および完成のさらなるステップを想定することができる。
【００７８】
本発明は、以下の利点の１つまたは複数を得ることを可能にする。第１に、本発明は、従来技術に見られる問題を克服することができる装置、その装置の製造プロセス、生物学的物質および／または化学材料のサンプルを収集および移送する方法、ならびに装置の使用を提供することができる。特に、本発明はさらに、即時分析および将来の使用のために分析される十分な量のサンプルの取得を単純化するスワブが作られることを可能にする。本発明はさらに、生物学的物質および／または化学的物質のサンプルの収集、移送および保存を単純化することを可能にする。本発明はさらに、それだけではないが、とりわけ法医学的用途のために、長い期間にわたってでさえ、生物学的物質の高いトレーサビリティおよび正確な保存が保証されることを可能にする。特に、本発明は、後で分析されるサンプルが、単一のサンプル収集から得られ、関連する取扱いが最小限に抑えられるため、正確に同じであるという確実性を有することを可能にする。したがって、異なるサンプルに対して試験を実施するか、またはそれらを汚染するリスクは非常に限られている。本発明はさらに、サンプルの取扱いを減らし、収集されたサンプルおよび関連する環境を汚染する危険性を大幅に低減することを可能にする。本発明はさらに、収集される生物材料を処理するプロセスの効率、安全性および信頼性を高めることを可能にする。本発明によるスワブはさらに使用するのに非常に便利であり、信頼性が高く、安全に使用することができる。最後に、本発明は実装が簡単かつ経済的である。
【図１】
2018529093.tif 000003
【図２】
2018529093.tif 000004
【図３】
2018529093.tif 000005
【図４】
2018529093.tif 000006
【図５】
2018529093.tif 000007
【図６】
2018529093.tif 000008
【図７】
2018529093.tif 000009
【図８】
2018529093.tif 000010
【図９】
2018529093.tif 000011
【図１０】
2018529093.tif 000012
【国際調査報告】
2018529093.tif 000013
2018529093.tif 000014